(57)【要約】【課題】  放送対象地域毎の受信可能な放送局のプリセットを容易にするとともに、放送対象地域に応じて受信可能な放送局を簡単に選局することができるようにする。【解決手段】  受信装置１０は少なくともチャンネル番号、放送波名、及び放送対象地域を示すサービス情報が付加された放送波を受信する。制御ＣＰＵ２０ではチューナ１１を制御して、予め規定された範囲でチャネル番号を変化させつつ放送波が受信できるか否かを判定して、受信可能と判定された放送波に付加されたサービス情報を抽出して当該サービス情報をプリセット情報として一つのプリセットグループでメモリ１９に登録する。そして、制御ＣＰＵはプリセットグループに登録されたプリセット情報に応じてチューナを制御して放送波の選局を行う。【選択図】        図１
2006067358.tif 000002
【特許請求の範囲】
【請求項１】
少なくともチャンネル番号、送信放送局名、及び放送対象地域を示すサービス情報が付加された放送波を受信する受信装置において、
予め規定された範囲で、前記チャネル番号を変化させつつ前記放送波が受信できるか否かを判定する受信判定手段と、
該受信判定手段で受信可能と判定された放送波に付加された前記サービス情報を抽出して、当該サービス情報をプリセット情報として一つのプリセットグループで登録する登録手段と、
前記プリセットグループに登録されたプリセット情報に応じて、前記放送波の選局を行う選局手段とを有することを特徴とする受信装置。
【請求項２】
サービス情報にはチャンネル番号を選択する選択ボタン番号が含まれており、
登録手段は、送信放送局名と該送信放送局の放送対象地域とを前記選択ボタン番号に対応付けて登録するようにしたことを特徴とする請求項１記載の受信装置。
【請求項３】
プリセットグループの一覧を示すプリセットグループ一覧を放送対象地域とともに表示して、該プリセットグループ一覧から一つのプリセットグループが選択されると、当該選択されたプリセットグループに係るプリセット情報中の放送対象地域を選択ボタン番号に対応付けたプリセットグループ画面を表示する表示制御手段を有することを特徴とする請求項２記載の受信装置。
【請求項４】
選局手段は、選択ボタン番号が入力されると、当該入力された選択ボタン番号とプリセットグループ画面に表示されたプリセットグループを示すプリセットグループ番号とに応じて、チャンネル番号を選択して、選局を行うようにしたことを特徴とする請求項３記載の受信装置。
【請求項５】
現在受信中の放送波と同一の放送対象地域を有する放送波の属するプリセットグループをサーチするサーチ手段を有し、
登録手段は、現在受信中の放送波と同一の対象地域を有する放送波の属するプリセットグループに前記現在受信中の放送波に付加されたサービス情報をプリセット情報として登録するようにすることを特徴とする請求項１から請求項４のうちのいずれか１項記載の受信装置。
【請求項６】
現在受信中の放送波と同一の送信放送局名を有する放送波の属するプリセットグループをサーチするサーチ手段を有し、
該サーチ手段によって、現在受信中の放送波と同一の送信放送局名を有する放送波の属するプリセットグループが存在する判定されると、選局手段は、該プリセットグループに応じて選局を行うようにしたことを特徴とする請求項１から請求項４のうちのいずれか１項記載の受信装置。
【発明の詳細な説明】
【技術分野】
【０００１】
この発明は、車両等の移動体で用いられる受信装置に関し、特に、デジタル放送を自動的に選局するためのプリセット機能を有する受信装置に関するものである。
【背景技術】
【０００２】
一般に、受信装置においてテレビジョン放送又はラジオ放送を受信する際には、ユーザは所望の放送波を選局することになるが、ユーザが所望の放送波を送信する放送局（送信周波数）を予め登録しておくプリセット機能を備える受信装置がある。
【０００３】
上述のようなプリセット機能を有する受信装置として、テレビ放送を特定するための選局情報を出力する選局手段を複数備えて、これら選局手段を識別する選局番号とテレビ放送を特定するチャンネル番号とを対応付けるチャンネル設定データとを有するＴＶ設定情報ファイルを複数記憶して、チャンネル数が多くなっても、ユーザが所望するテレビ放送を容易に選局受信することができるようにしたものがある（例えば、特許文献１参照）。
【０００４】
ところで、車両等の移動体に搭載される車載用受信装置においては、車両の移動に伴って受信可能な放送局が変わるため、つまり、車両の位置する地域に応じて受信可能な放送局が異なるため、予め受信可能な放送局を受信可能放送局情報としてプリセットしておいても、車両の移動によって受信可能な放送局が変わってしまうと、ユーザは再度受信可能な放送局をプリセットするか又は地域毎に受信可能放送局情報をプリセットしておいて、地域毎の受信可能放送局情報に応じて選局を行う必要がある。
【０００５】
一方、車載用受信装置において、地域が変わっても容易に特定の地域に適合したラジオ放送用の周波数をセットするため、複数のチャンネルの各々に対して任意の放送局が発信する所定の周波数を記憶しうるグループを複数グループ設けて、各グループに、地域別の識別符号が付与して、車両の移動によって地域が変更となった際には、当該地域に適合する周波数を記憶したチャンネルを含むグループを選択して選局を行うようにしたものがある（例えば、特許文献２参照）。
【０００６】
【特許文献１】特開２００３−２３５７６号公報（第３頁〜第５頁、第２図〜第４図）
【特許文献２】特開平６−２９１６１１号公報（第３頁〜第４頁、第１図〜第２図）
【発明の開示】
【発明が解決しようとする課題】
【０００７】
ところが、従来の受信装置は以上のように構成されているので、車載用受信装置のように、車両の移動に応じて受信可能な放送局が変わると、地域毎に受信可能放送局情報をプリセット情報としてプリセットしておかなければならない。
【０００８】
そして、地域毎にプリセット情報を記憶しておくとなると、ユーザは車両が走行する地域に応じてプリセット情報を呼び出して選局をおこなわなければならず、ユーザは現在いずれの地域を走行しているかを判断して、当該地域に対応したプリセット情報を選択したければならないという煩わしさがあり、ユーザが地域に応じて受信可能な放送局を簡単に選局できないという課題があった。
【０００９】
さらに、チャンネルの各々に対して任意の放送局が発信する所定の周波数を記憶するグループを複数グループ設けて、各グループに、地域別の識別符号が付与したとしても、ユーザは車両の移動に応じて地域が変わると、その都度地域別の識別符号に応じて当該地域に対応する放送局を読み出した後、これら放送局から所望の放送局を選局しなければならず、ユーザが地域に応じて受信可能な放送局を簡単に選局できないという課題があった。
【００１０】
そして、ユーザは予め地域毎に対応付けてメモリに受信可能な放送局をプリセットしておかなければならず、そのプリセット設定操作が極めて煩わしいという課題もあった。
【００１１】
この発明は上記のような課題を解決するためになされたもので、地域毎の受信可能な放送局のプリセットが極めて容易で、しかも地域に応じて受信可能な放送局を簡単に選局することのできる受信装置を得ることを目的とする。
【課題を解決するための手段】
【００１２】
この発明に係る受信装置は、少なくともチャンネル番号、送信放送局名、及び放送対象地域を示すサービス情報が付加された放送波を受信する。そして、受信装置は、予め規定された範囲でチャネル番号を変化させつつ放送波が受信できるか否かを判定する受信判定手段と、受信判定手段で受信可能と判定された放送波に付加されたサービス情報を抽出して当該サービス情報をプリセット情報として一つのプリセットグループで登録する登録手段とを備え、選局手段はプリセットグループに登録されたプリセット情報に応じて放送波の選局を行うものである。
【発明の効果】
【００１３】
この発明によれば、予め規定された範囲でチャネル番号を変化させつつ放送波が受信できるか否かを判定して、受信可能と判定された放送波に付加されたサービス情報を抽出して当該サービス情報をプリセット情報として一つのプリセットグループで登録した後、プリセットグループに登録されたプリセット情報に応じて放送波の選局を行うように構成したので、地域毎の受信可能な放送局のプリセットが極めて容易で、しかも地域に応じて受信可能な放送局を簡単に選局することができるという効果がある。
【発明を実施するための最良の形態】
【００１４】
実施の形態１．
図１はこの発明の実施の形態１による受信装置を示すブロック図であり、図示の受信装置は地上デジタル放送を受信するための地上波を用いたデジタル放送（以下地上デジタル放送と呼ぶ）を受信するための受信装置である。
【００１５】
地上デジタル放送では、放送エリア毎に放送局を設けて、これら放送局から地上デジタル放送波を送信している（地上デジタル放送においては、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いている）。このため、車両等の移動体に搭載された受信装置で地上デジタル放送波を受信する際には、車両の移動に応じて地域（つまり、放送エリア）が変わると受信可能な放送局が変わり、その都度放送局を選局する必要がある。
【００１６】
一方、地上デジタル放送波には、デジタル映像信号、デジタル音声信号、及びサービス情報（Ｓｅｒｖｉｃｅ＿  Ｉｎｆｏｒｍａｔｉｏｎ：ＳＩ情報）が含まれており、ＳＩ情報には、送信チャンネル（送信周波数）、送信放送局名、放送対象地域（放送エリア）、放送番組等を示すデータが含まれている。
【００１７】
図１において、受信装置１０は、チューナ１１、直交周波数分割多重（ＯＦＤＭ）復調部１２、デマルチプレクサ１３、オーディオデコーダ１４、ビデオデコーダ１５、音声制御部１６、映像制御部１７、ＧＵＩ（Ｇｒａｐｈｉｃ  Ｕｓｅｒ  Ｉｎｔｅｒｆａｃｅ）部１８、メモリ１９、制御ＣＰＵ２０、及びリモコン制御部２１を備えている。チューナ１１で選局されたチャンネルの地上デジタル放送波（以下単に放送波と呼ぶ）はアンテナ２２を介して受信され、チューナ１１において地上デジタル放送波の周波数成分が抽出されて、ＯＦＤＭ復調部１２においてデジタル信号に復調され、トランスポートストリームとしてデマルチプレクサ１３に与えられる。
【００１８】
デマルチプレクサ１３では、トランスポートストリームからオーディオストリーム、ビデオストリーム、及びＳＩ情報を分離して、これらオーディオストリーム、ビデオストリーム、及びＳＩ情報をそれぞれオーディオデコーダ１４、ビデオデコーダ１５、制御ＣＰＵ２０に与える。オーディオデコーダ１４ではオーディオストリームをデコードして、オーディオ復号化信号として音声制御部１６に与える。そして、音声制御部１６ではオーディオ復号化信号をアナログ音声信号として出力する。
【００１９】
同様にして、ビデオデコーダ１５ではビデオストリームをデコードして、ビデオ復号化信号として映像制御部１７に与える。そして、映像制御部１７ではビデオ復号化信号をアナログビデオ信号とする。一方、制御ＣＰＵ２０では、ＳＩ情報から放送番組情報を抽出して、この放送番組情報をＧＵＩ部１８に渡す。ＧＵＩ部１８では、例えば、放送番組情報に応じて放送番組表を生成し、この放送番組表を映像制御部１７に与える。映像制御部１７では前述のアナログビデオ信号と放送番組表を合成して合成信号として出力することになる。
【００２０】
また、制御ＣＰＵ２０では、ＳＩ情報から抽出した送信チャネル、送信放送局名（トランスポートストリーム名）、及び放送対象地域を表すデータをメモリ１９に一旦保存することになる。
【００２１】
なお、ユーザがリモコン（図示せず）を操作すると、そのコマンドがリモコン制御部２１から制御ＣＰＵ２０に与えられて、制御ＣＰＵ２０はコマンドに応じてチューナ１１又はＧＵＩ部１８を制御してチューナ１１によって選局を行い、ＧＵＩ部１８によって前述したように放送番組表を合成する（また、ＧＵＩ部１８によってメニュー画面が生成される）。
【００２２】
ところで、図示の受信装置１０は、プリセット機能を有しており、後述するようにして、このプリセット機能によってメモリ１９には地域毎の受信可能放送局に係る情報がプリセット情報として格納されることになる。そして、メモリ１９に格納されたプリセット情報に応じて放送局の選局が行われる。
【００２３】
次に動作について説明する。
図１〜図３を参照して、制御ＣＰＵ２０はリモコン制御部２１からコマンドが入力されたか否かを監視しており、リモコン制御部２１からコマンド入力があると（リモコン入力あり：ステップＳＴ１）、制御ＣＰＵ２０では、チャネルスキャン開始判断部２０ａによってこのコマンドがチャンネルスキャン開始を示しているか否かを判断する（ステップＳＴ２）。そして、チャネルスキャン開始でないと判定すると、制御ＣＰＵ２０は入力コマンドで示される処理を実行する（他の処理：ステップＳＴ３）。
【００２４】
なお、上述のコマンドは、リモコン又はメニュー画面から入力され、チャンネルスキャンを開始する際には、例えば、リモコンに備えられたチャンネルスキャンボタンを押す。また、メニュー画面において、チャネルスキャン開始を選択するようにしてもよい。
【００２５】
一方、ステップＳＴ３においては図３に示すように、チャンネルスキャン開始判断部２０ａがコマンドがチャンネルスキャン開始を示している判断すると、チューナ周波数制御部２０ｂでは、例えば、チューナ１１を制御して、チャンネルをＵＨＦ１３ｃｈに設定する（ステップＳＴ４）。そして、制御ＣＰＵ２０では、受信可否判断部２０ｃによって予め設定された時間（一定時間）以内にＯＦＤＭ復調部１２からトランスポートストリームが得られたか否かを判断する（ステップＳＴ５）。
【００２６】
ステップＳＴ５において、トランスポートストリームが得られると、受信可否判断部２０ｃでは、そのチャンネル（この場合は、ＵＨＦ１３ｃｈ）で地上デジタル放送波を受信できると判断し、デマルチプレクサ１３から与えられるＳＩ情報中のＮＩＴ（Ｎｅｔｗｏｒｋ＿Ｉｎｆｏｒｍａｔｉｏｎ＿Ｔａｂｌｅ）からトランスポートストリーム名、トランスポートストリーム番号（ＴＳ＿ｉｄ）、リモコン番号（ｒｅｍｏｔｅ＿ｃｏｎｔｒｏｌ＿ｋｅｙ＿ｉｄ）、及び放送対象地域番号（ｓｅｒｖｉｃｅ＿ｉｄ）を抽出する（ＳＩ情報取得：ステップＳＴ６）。
【００２７】
図４に示すように、制御ＣＰＵ２０には、ＳＩ情報解析部２０ｄ、プリセットグループ判定部／設定部２０ｅ、及びメモリ保存部２０ｆが備えられており、ＳＩ情報解析部２０ｄには、リモコン番号（ｒｅｍｏｔｅ＿ｃｏｎｔｒｏｌ＿ｋｅｙ＿ｉｄ）検出部２０１、対象地域（ｓｅｒｖｉｃｅ＿ｉｄ）検出部２０２、及びトランスポートストリーム番号（ＴＳ＿ｉｄ）検出部２０３が備えられている。前述のｒｅｍｏｔｅ＿ｃｏｎｔｒｏｌ＿ｋｅｙ＿ｉｄは、リモコンの「１」から「１２」までのワンタッチボタン番号を表しており、リモコン番号検出部２０１では、ｒｅｍｏｔｅ＿ｃｏｎｔｒｏｌ＿ｋｅｙ＿ｉｄに応じてワンタッチ番号を検出する。
【００２８】
同様にして、対象地域検出部２０２では、ｓｅｒｖｉｃｅ＿ｉｄから放送対象地域（例えば、都道府県名）を検出し、トランスポートストリーム番号検出部２０３では、トランスポートストリーム番号を検出することになって、チャンネルＵＨＦ２３ｃｈについて、トランスポートストリーム名及びトランスポートストリームｉｄをｒｅｍｏｔｅ＿ｃｏｎｔｒｏｌ＿ｋｅｙ＿ｉｄが示すワンタッチボタン番号に割り当てるとともに、放送対象地域を割り当て、第１のプリセット情報とする。
【００２９】
このようにして、チャンネルＵＨＦ１３ｃｈに関する第１のプリセット情報を求めた後、制御ＣＰＵ２０は最後のチャンネルまでスキャンしたか否かを判定する。ここでは、例えば、チャンネルＵＨＦ１３ｃｈからＵＨＦ６２ｃｈまで１チャンネルずつスキャンするので、制御ＣＰＵ２０は、チャンネルＵＨＦ６２ｃｈまでスキャンしたか否かを判断することになる（ステップＳＴ７）。
【００３０】
ステップＳＴ７において、チャンネル６２ｃｈまでスキャンしていないと、チューナ周波数制御部２０ｂによってチューナ１１を制御して、チャンネルを１ｃｈアップし（ステップＳＴ８）、制御ＣＰＵ２０はステップＳＴ５に戻ることになる。なお、ステップＳＴ５において、受信可否判断部２０ｃが受信不可であると判定すると、制御ＣＰＵ２０はステップＳＴ５からステップＳＴ７に移行することになる。
【００３１】
上述のようにして、チャンネルＵＨＦ１３ｃｈからチャンネルＵＨＦ６２ｃｈまでのスキャンが終了すると、プリセットグループ判定部／設定部２０ｅではチャンネルＵＨＦ１３ｃｈからチャンネルＵＨＦ６２ｃｈまでのプリセット情報を一つのプリセットグループとして、プリセット番号ｎ（ｎは１以上の整数）を付与して、プリセットグループの設定を行う。そして、メモリ保存部２０ｆではこのプリセットグループに属するプリセット情報をメモリ１９に登録する（プリセットｎに登録：ステップＳＴ９）。
【００３２】
なお、初めてチャネルスキャンを行ってプリセット情報を得た際には、プリセットグループ番号はｎ＝１とされ、チャンネルスキャンを行う都度、プリセットグループ番号ｎは１ずつインクリメントされる。
【００３３】
図５は、メモリ１９に登録されたプリセットグループの一例を示す図であり、図５（ａ）はプリセットグループ１に属するプリセット情報を示し、図５（ｂ）はプリセットグループ２に属するプリセット情報を表している。このようにして、車両の移動に応じて車両が位置する地域が異なる毎に、チャンネルスキャンを行えば、メモリ１９に順次プリセットグループが登録されることになる。
【００３４】
上述のようにして、メモリ１９に登録されたプリセットグループは、次のようにしてメモリ１９から読み出される。
【００３５】
図６を参照して、例えば、制御ＣＰＵ２０ではメニュー受付部２０ｇによってメニュー画面（図示せず）からプリセットグループ一覧表示指示を受け付けると、プリセットグループ一覧表示受付部２０ｈにプリセットグループ一覧表示指示が渡されて、情報読出部２０ｉでは、メモリ１９をアクセスしてプリセットグループを読み出す。そして、ＧＵＩ作成部２０ｊによってプリセットグループ一覧が生成されて、ＧＵＩ部１８（図１）にプリセットグループ一覧が渡され、映像制御部１７を介してプリセットグループ一覧が画面上に表示される。
【００３６】
図７は、プリセットグループ一覧画面の一例を示す図である。画面上のプリセットグループ一覧からユーザが所望のプリセットグループを選択すると、ＧＵＩ操作受付部２０ｋがこの選択を受け付けて、プリセットグループ判定部／設定部２０ｅによって選択されたプリセットグループに対応するプリセット情報がメモリ１９から読み出されてプリセットグループ画面としてＧＵＩ部１８を介して画面表示される。
【００３７】
図７に示すように、プリセットグループ一覧画面では、各プリセット（プリセット情報）３０に対応して、プリセットを識別するための番号（プリセットグループ番号：符号３１）が示されるとももに、放送対象地域（符号３２）が示される。ユーザはこのプリセットグループ一覧画面を見て、所望のプリセットグループ番号を選択し、リモコンの数字ボタン番号を押すと、制御ＣＰＵ２０では、プリセットグループ一覧画面に表示されたプリセットグループ番号に応じたプリセットグループを選択する。
【００３８】
制御ＣＰＵ２０によってプリセットグループが選択されると、例えば、図７においてプリセットグループ番号「２」が選択されたとすると、制御ＣＰＵ２０では、ＧＵＩ部１８及び映像制御部１７を介して、プリセットグループ番号「２」（プリセット「２」）に対応するプリセットグループ画面を表示する。図８はプリセット「２」に対応するプリセットグループ画面の一例を示す図であり、このプリセットグループ画面では、ワンタッチボタン番号（符号５１）に対応付けて送信放送局名（符号５２）が表示される。そして、ユーザはプリセットグループ画面を見て、プリセットグループに登録されたワンタッチボタン番号と送信放送局名との対応付けに基づいて選局を実行する。
【００３９】
図９を参照して、リモコン入力部４１からワンタッチボタン番号が入力されると、制御ＣＰＵ２０では、数字ボタン受付部２０ｍによってワンタッチボタン番号を受け付ける。そして、選択されたプリセットグループに登録されたワンタッチボタン番号と送信放送局名との対応付けに基づいて、情報読出部２０ｉではメモリ１９をアクセスして、該当するチャンネル番号を得る。続いて、チューナ周波数制御部２０ｂによってチューナ１１（図１）を制御して、当該チャンネル番号に対応した地上デジタル放送波をチューナ１１で選局することになる。
【００４０】
例えば、ユーザが××県に位置して、いま、図７に示すプリセットグループ一覧において、プリセットグループ番号「２」が選択されている場合、リモコンのワンタッチボタン番号「４」が押されると、前述した手順によって、チューナ１１には、ｒｅｍｏｔｅ＿ｃｏｎｔｒｏｌ＿ｋｅｙ＿ｉｄが「４」に対応するチャンネルＵＨＦ２０ｃｈが設定され、図５（ｂ）に示すように、トランスポートストリームｉｄ：０ｘ７ＣＡ３、トランスポートストリーム名：◇×テレビが選局されることになる。
【００４１】
なお、上述の説明から明らかなように、チャネルスキャン開始判断部２０ａ、チューナ周波数制御部２０ｂ、及び受信可否判断部２０ｃが集合的に受信判定手段として機能し、ＳＩ情報解析部２０ｄ、プリセットグループ判定部／設定部２０ｅ、及びメモリ保存部２０ｆが登録手段として機能する。また、リモコン入力部４１、数字ボタン受付部２０ｍ、情報読出部２０ｉ、及びチューナ周波数制御部２０ｂが選局手段として機能することになる。さらに、メニュー受付部２０ｇ、プリセットグループ一覧表示受付部２０ｈ、情報読出部２０ｉ、及びＧＵＩ作成部２０ｊが表示制御手段として機能することになる。
【００４２】
このようにして、メニュー画面からプリセットグループ一覧を表示して、このプリセット画面一覧から所望のプリセットグループ番号を選択すると、当該プリセットグループに登録されたトランスポートストリームに係るワンタッチボタン番号と放送対象地域とがリンクして表示されるので、車両現在地に応じた放送対象地域から容易にプリセット番号（つまり、ワンタッチボタン番号）を選択できることになる。
【００４３】
以上のように、この実施の形態１によれば、チャンネルスキャン開始を行うと、チャネル番号を変化させつつ放送波が受信できるか否かを判定して、受信可能と判定された放送波に付加されたＳＩ情報を抽出して、このＳＩ情報をプリセット情報として一つのプリセットグループで登録して、プリセットグループに登録されたプリセット情報に応じて放送波の選局を行うようにしたので、地域毎に受信可能な放送波のプリセットが極めて容易で、しかも地域に応じて受信可能な放送波を簡単に選局することができる。
【００４４】
この実施の形態１によれば、ＳＩ情報に含まれるｒｅｍｏｔｅ＿ｃｏｎｔｒｏｌ＿ｋｅｙ＿ｉｄとトランスポートストリームｉｄとを対応付けて登録し、プリセットグループの一覧を示すプリセットグループ一覧が表示された際、このプリセットグループ一覧から一つのプリセットグループを選択すると、この選択されたプリセットグループに係る放送対象地域をｒｅｍｏｔｅ＿ｃｏｎｔｒｏｌ＿ｋｅｙ＿ｉｄに対応付けたプリセットグループ画面を表示するようにしたので、ユーザは容易に車両の現在地に応じて受信可能な放送波を選択することができ、しかも当該放送対象地域に対応付けられたｒｅｍｏｔｅ＿ｃｏｎｔｒｏｌ＿ｋｅｙ＿ｉｄを選択するだけで、所望のチャネル番号の放送波を受信することができるという効果がある。
【００４５】
この実施の形態１によれば、ｒｅｍｏｔｅ＿ｃｏｎｔｒｏｌ＿ｋｅｙ＿ｉｄが入力されると、当該入力されたｒｅｍｏｔｅ＿ｃｏｎｔｒｏｌ＿ｋｅｙ＿ｉｄとプリセットグループ画面に表示されたプリセットグループを示すプリセットグループ番号とに応じてチャンネル番号が選択されて選局が行われるので、極めて簡単に所望の放送波を受信することができるという効果がある。
【００４６】
実施の形態２．
上述の実施の形態１においては、プリセットグループ一覧を画面表示して、ユーザが車両現在地と放送対象地域とに応じて所望のプリセット番号を選択するようにしたが、リモコンに備えられたサーチボタンを押すと、制御ＣＰＵがチャンネル番号を順次スキャンして、選局を行うようにしてもよい。
【００４７】
図１０及び図１１を参照して、制御ＣＰＵ２０はリモコン制御部２１からコマンドが入力されたか否かを監視しており、リモコン制御部２１からコマンド入力があると（リモコン入力あり：ステップＳＴ１０）、制御ＣＰＵ２０では、図１１に示すサーチ選局判定部２０ｎによって、リモコンのサーチボタンが押されたか否かを判断する判定する（ステップＳＴ１１）。そして、サーチボタンが押されていないと判断すると、制御ＣＰＵ２０は入力コマンドで示される処理を実行する（他の処理：ステップＳＴ１２）。
【００４８】
一方、ステップＳＴ１１において、サーチ選局判定部２０ｎが、サーチボタンが押されたと判断すると、チューナ周波数制御部２０ｂでは、チューナ１１を制御して、チューナ１１に設定された現在のチャンネルを１ｃｈアップして（ステップＳＴ１３）、制御ＣＰＵ２０では、図２に示す受信可否判断部２０ｃによって予め設定された時間（一定時間）以内にＯＦＤＭ復調部１２からトランスポートストリームが得られたか否かを判断する（ステップＳＴ１４）。
【００４９】
ステップＳＴ１４において、トランスポートストリームが得られると、受信可否判断部２０ｃでは、そのチャンネルで地上デジタル放送波を受信できると判断する。そして、前述したようにして、アナログ音響信号及びアナログ映像信号がそれぞれ音声制御部１６及び映像制御部１７から出力される（映像と音声を出力：ステップＳＴ１５）。
【００５０】
そして、デマルチプレクサ１３から与えられるＳＩ情報中のＮＩＴ（Ｎｅｔｗｏｒｋ＿Ｉｎｆｏｒｍａｔｉｏｎ＿Ｔａｂｌｅ）からトランスポートストリーム名、トランスポートストリーム番号（ＴＳ＿ｉｄ）、リモコン番号（ｒｅｍｏｔｅ＿ｃｏｎｔｒｏｌ＿ｋｅｙ＿ｉｄ）、及び放送対象地域番号（ｓｅｒｖｉｃｅ＿ｉｄ）を抽出する（ＳＩ情報取得：ステップＳＴ１６）。
【００５１】
ＳＩ情報解析部２０ｄでは、対象地域検出部２０２（図４参照）によってｓｅｒｖｉｃｅ＿ｉｄから放送対象地域（例えば、都道府県名）を検出し、情報読出部２０ｉによってメモリ１９をアクセスして、プリセットグループを読み出して、比較部２０ｐでプリセットグループの放送対象地域と現在受信中のトランスポートストリームの放送対象地域とを比較する。そして、この比較結果に応じてプリセットグループ判定部／設定部２０ｅでは、現在受信中のトランスポートストリームを該当するプリセットグループに登録する。
【００５２】
さらに、制御ＣＰＵ２０ではプリセットされたトランスポートストリームに同一のＴＳ＿ｉｄを有するものがあるか否かを判定して（ステップＳＴ１７）、同一のＴＳ＿ｉｄを有するトランスポートストリームが存在すると、このトランスポートストリームを含むプリセットグループ番号に変更する（ステップＳＴ１８）。
【００５３】
一方、ステップＳＴ１４において、トランスポートストリームが得られないと判定されると、制御ＣＰＵ２０はチューナ１１に最後のチャンネル（例えば、チャンネルＵＨＦ６２ｃｈ）が設定されているか否かを判定する（ステップＳＴ１９）。ステップＳＴ１９において、チューナ１１にチャンネル６２ｃｈが設定されていないと、チューナ周波数制御部２０ｂによってチューナ１１を制御して、チューナ１１にチャンネルＵＨＦ１３ｃｈを設定する（ステップＳＴ２０）。そして、制御ＣＰＵ２０はステップＳＴ１４に戻って処理を続行する。
【００５４】
なお、ステップＳＴ１９において、チューナ１１にチャンネルＵＨＦ６２ｃｈが設定されていないと、制御ＣＰＵ２０はステップＳＴ１３に戻って処理を続行する。
【００５５】
いま、図５（ａ）及び（ｂ）に示すプリセットグループがメモリ１９に登録されている状態において、リモコンのサーチボタンを押した際、チャンネルＵＨＦ２２ｃｈにおけるトランスポートストリームｉｄが０ｘ７ＥＥ２のトランスポートストリームが受信できたとすると、プリセットグループ番号「１」において、ｒｅｍｏｔｅ＿ｃｏｎｔｒｏｌ＿ｋｅｙ＿ｉｄが「６」に同一のトランスストリームｉｄを有するトランスストリームが存在するので、プリセットグループ番号は「１」に変更される。
【００５６】
なお、上述の説明から明らかなように、サーチ選局判定部２０ｎ、ＳＩ情報解析部２０ｄ、情報読出部２０ｉ、及びプリセットグループ判定部／設定部２０ｅがサーチ手段として機能することになる。
【００５７】
以上のように、この実施の形態２によれば、現在受信中のトランスポートストリームと同一の放送対象地域を有するトランスポートストリームの属するプリセットグループをサーチして、現在受信中のトランスポートストリームと同一の対象地域を有するトランスポートストリームの属するプリセットグループに現在受信中のトランスポートストリームに付加されたＳＩ情報をプリセット情報として登録するようにしたので、極めて簡単にプリセットを行うことができるという効果がある。
【００５８】
この実施の形態２によれば、現在受信中のトランスポートストリームと同一のトランスポートストリーム名を有するトランスポートストリームの属するプリセットグループをサーチして、現在受信中のトランスポートストリームと同一のトランスポートストリーム名を有するトランスポートの属するプリセットグループが存在する判定されると、プリセットグループに応じて選局を行うようにしたので、自動的に同一のトランスポートストリーム名を有するチャンネル番号に切り替えられることになって、ユーザの手間を省いて選局を行うことができるという効果がある。
【図面の簡単な説明】
【００５９】
【図１】この発明の実施の形態１による受信装置の構成の一例を示すブロック図である。
【図２】図１に示す受信装置で用いられる制御ＣＰＵの動作を説明するためのブロック図である。
【図３】図１に示す受信装置の動作の一例を説明するためのフローチャートである。
【図４】図１に示す受信装置で用いられる制御ＣＰＵの動作を説明するためのブロック図である。
【図５】プリセットグループの一例を示す図であり、（ａ）及び（ｂ）はそれぞれ異なるプリセットグループを示す図である。
【図６】図１に示す受信装置においてプリセットグループ一覧からのグループ選択受付を説明するためのブロック図である。
【図７】プリセットグループ一覧画面の一例を示す図である。
【図８】プリセットグループ一覧画面から選択されたプリセットグループ番号に応じたプリセットグループ画面を示す図である。
【図９】リモコン入力に応じてプリセットグループ画面から選択されたワンタッチボタン番号に対応するチャンネルの選局を説明するための図である。
【図１０】この発明の実施の形態２による受信装置の動作を説明するためのフローチャートである。
【図１１】この発明の実施の形態２による受信装置において制御ＣＰＵの動作を説明するためのブロック図である。
【符号の説明】
【００６０】
１０  受信装置、１１  チューナ、１２  直交周波数分割多重（ＯＦＤＭ）復調部、１３  デマルチプレクサ、１４  オーディオデコーダ、１５  ビデオデコーダ、１６  音声制御部、１７  映像制御部、１８  ＧＵＩ（Ｇｒａｐｈｉｃ  Ｕｓｅｒ  Ｉｎｔｅｒｆａｃｅ）部、１９  メモリ、２０  制御ＣＰＵ、２０ａ  チャネルスキャン開始判断部、２０ｂ  チューナ周波数制御部、２０ｃ  受信可否判断部、２０ｄ  ＳＩ情報解析部、２０ｅ  プリセットグループ判定部／設定部、２０ｆ  メモリ保存部、２０ｇ  メニュー受付部、２０ｈ  プリセットグループ一覧表示受付部、２０ｉ  情報読出部、２０ｊ  ＧＵＩ作成部、２０ｋ  ＧＵＩ操作受付部、２０ｍ  数字ボタン受付部、２０ｎ  サーチ選局判定部、２０ｐ  比較部、２１  リモコン制御部、２２  アンテナ、３０  プリセット（プリセット情報）、３１  ワンタッチボタン番号、３２  放送対象地域、４１  リモコン入力部、２０１  リモコン番号（ｒｅｍｏｔｅ＿ｃｏｎｔｒｏｌ＿ｋｅｙ＿ｉｄ）検出部、２０２  対象地域（ｓｅｒｖｉｃｅ＿ｉｄ）検出部、２０３  トランスポートストリーム番号（ＴＳ＿ｉｄ）検出部。
【図１】
2006067358.tif 000003
【図２】
2006067358.tif 000004
【図３】
2006067358.tif 000005
【図４】
2006067358.tif 000006
【図５】
2006067358.tif 000007
【図６】
2006067358.tif 000008
【図７】
2006067358.tif 000009
【図８】
2006067358.tif 000010
【図９】
2006067358.tif 000011
【図１０】
2006067358.tif 000012
【図１１】
2006067358.tif 000013